(57)【要約】      （修正有）【課題】手乾燥装置から吹き出した空気が洗面ボウルの内面に沿って流れた後、使用者側に向かうことを防止することのできる洗面台を提供する。【解決手段】洗面台Ｌの洗面ボウルＢＷは、洗面台Ｌに設置された手乾燥装置から吹き出した空気が洗面ボウルＢＷの内面に沿って流れた後、洗面ボウルＢＷの上端部を越えて使用者側に向かうことを、延出部Ｗ１（風向規制手段）によって抑制する。【選択図】図３
2013153921.tif 000002
【特許請求の範囲】
【請求項１】
空気を吹き出して使用者の手を乾燥させる手乾燥装置が設置された洗面台において、
水を吐出する吐水部と、
前記吐水部から吐出された水を内面で受ける洗面ボウルと、を備え、
前記手乾燥装置は、前記洗面ボウルの上方から前記洗面ボウルの内面に向けて空気を吹き出すように配置されており、
前記洗面ボウルは、
前記手乾燥装置から吹き出した空気が前記洗面ボウルの内面に沿って流れた後、前記洗面ボウルの上端部を越えて使用者側に向かうことを抑制する風向規制手段を有していることを特徴とする洗面台。
【請求項２】
前記風向規制手段は、前記洗面ボウルの上端部から前記洗面ボウルの中央に向けて延出するように形成された延出部を有する壁面であることを特徴とする、請求項１に記載の洗面台。
【請求項３】
前記壁面は、前記延出部よりも前記洗面ボウルの中央側において、下方に向けて垂下するように形成された垂下部を有していることを特徴とする、請求項２に記載の洗面台。
【請求項４】
前記洗面ボウルには空気排出経路が形成されており、前記空気排出経路は、前記手乾燥装置から吹き出した空気のうち少なくとも一部がその内部に流入した後、前記洗面ボウルの上部空間以外の空間に向けて排出されるように形成されていることを特徴とする、請求項１乃至請求項３のいずれか一項に記載の洗面台。
【請求項５】
前記洗面ボウルの底部に接続された排水配管と前記空気排出経路とを連通する通水路を備えており、前記手乾燥装置から吹き出した空気と共に前記空気排出経路に流入した水が、前記通水路を通って前記排水配管に流入するように構成されていることを特徴とする、請求項４に記載の洗面台。
【請求項６】
前記洗面ボウルには、その上端部を越えて水が溢れ出ることを防止するために前記排水配管に連通するオーバーフロー孔が形成されており、前記手乾燥装置から吹き出した空気が、前記オーバーフロー孔から前記空気排出経路に流入するように構成されていることを特徴とする、請求項５に記載の洗面台。
【発明の詳細な説明】
【技術分野】
【０００１】
本発明は洗面台に関するものであり、特に、空気を吹き出して使用者の手を乾燥させる手乾燥装置が設置された洗面台に関するものである。
【背景技術】
【０００２】
近年、特に公共のトイレ等においては、手洗い後に手に付着している水を拭き取るためのペーパータオルを削減する傾向が強まっており、ペーパータオルの代わりに手乾燥装置を設置する場合が増えている。このような手乾燥装置は、洗面ボウルが配置されている場所からは少し離れた洗面台上の壁面や、洗面台から離れたトイレ空間の壁面等に設置されているのが一般的である。
【０００３】
手全体を水で濡らして念入りに洗うのではなく、手の指先だけを軽く洗ったような場合においては、使用者は手乾燥装置を使用しない場合が多い。これは、指先についた少量の水を乾かすために、わざわざ洗面台から手乾燥装置の設置された場所まで移動することが面倒に感じられるからであると思われる。
【０００４】
これに対し、下記特許文献１には、洗面ボウルの上方から洗面ボウルの内面に向けて空気を吹き出す手乾燥装置が設置された洗面台が提案されている。手乾燥装置がこのように洗面台に設置されている場合は、使用者は手洗いが完了した後、洗面台の前から他の場所へ歩いて移動することなく、その場で直ちに手を乾燥させることができる。このため、指先だけを軽く洗ったような場合であっても、使用者は手乾燥装置を使用することを面倒に思うことがなく、手軽に手乾燥装置を使用することができる。
【先行技術文献】
【特許文献】
【０００５】
【特許文献１】特開２００６−１９２２５０号公報
【発明の概要】
【発明が解決しようとする課題】
【０００６】
使用者の手を短時間で乾燥させるためには、手乾燥装置から吹き出す空気の流量を大きなものとする必要がある。しかし、洗面台に設置される手乾燥装置から洗面ボウルの内面に向けて大きな流量の空気を吹き出すと、当該空気の一部が洗面ボウルの内面に沿って流れた後で使用者に向かう、所謂「吹き返し」と呼ばれる現象が生じていた。
【０００７】
このような吹き返しが生じると、使用者の手のみならず顔等に対しても手乾燥装置からの空気が到達するため、使用者に不快感を抱かせてしまう。更に、使用者の手や洗面ボウルの内面に付着していた水滴が、吹き返しにより飛び散って使用者の衣服等に付着してしまうという問題も生じ得る。
【０００８】
本発明はこのような課題に鑑みてなされたものであり、その目的は、手乾燥装置から吹き出した空気が洗面ボウルの内面に沿って流れた後、使用者側に向かうことを防止することのできる洗面台を提供することにある。
【課題を解決するための手段】
【０００９】
上記課題を解決するために本発明に係る洗面台は、空気を吹き出して使用者の手を乾燥させる手乾燥装置が設置された洗面台において、水を吐出する吐水部と、前記吐水部から吐出された水を内面で受ける洗面ボウルと、を備え、前記手乾燥装置は、前記洗面ボウルの上方から前記洗面ボウルの内面に向けて空気を吹き出すように配置されており、前記洗面ボウルは、前記手乾燥装置から吹き出した空気が前記洗面ボウルの内面に沿って流れた後、前記洗面ボウルの上端部を越えて使用者側に向かうことを抑制する風向規制手段を有していることを特徴としている。
【００１０】
本発明では、吐水部から吐出された水を内面で受ける洗面ボウルが、風向規制手段を有している。当該風向規制手段は、手乾燥装置から吹き出した空気が洗面ボウルの内面に沿って流れた後、洗面ボウルの上端部を越えて使用者側に向かうことを抑制するものである。このため、手乾燥装置が空気を吹き出している際において、使用者側に向かう空気の流れによって使用者に不快感を抱かせてしまったり、かかる空気の流れに伴って飛び散った水が使用者の衣服等に付着してしまったりすることが防止される。尚、「使用者側」とは、洗面台の使用者が手等を洗う際において通常立つ位置側、すなわち、洗面台の正面側を意味する。
【００１１】
また本発明に係る洗面台では、前記風向規制手段は、前記洗面ボウルの上端部から前記洗面ボウルの中央に向けて延出するように形成された延出部を有する壁面であることも好ましい。
【００１２】
手乾燥装置から吹き出した空気は、洗面ボウルの内面に沿って流れた後、洗面ボウルの上端部に到達する。この好ましい態様では、風向規制手段として、洗面ボウルの上端部から洗面ボウルの中央に向けて延出するように形成された延出部を有する壁面を備えている。このため、洗面ボウルの上端部に到達した空気は、当該壁面の延出部によってその流れ方向が変わり、洗面ボウルの中央部に向かって流れる。その結果、空気が洗面ボウルの上端部を越えて使用者側に向かうことが抑制される。このように、洗面ボウルの上端部から延出部を有する壁面を延出させるという簡単な構成によって、空気が使用者側に向かって流れることを抑制することができる。
【００１３】
また本発明に係る洗面台では、前記壁面は、前記延出部よりも前記洗面ボウルの中央側において、下方に向けて垂下するように形成された垂下部を有していることも好ましい。
【００１４】
この好ましい態様では、風向規制手段として形成された壁面が、前記延出部よりも洗面ボウルの中央側において、下方に向けて垂下するように形成された垂下部を有している。このため、洗面ボウルの内面に沿って洗面ボウルの上端部に到達した空気は、壁面の延出部によってその流れ方向が変わり、洗面ボウルの中央部に向かう。その直後、垂下部によって更にその流れ方向が変わり、下方に向かって流れることとなる。その結果、手乾燥装置から吹き出した空気が、洗面ボウルの上端部を越えて使用者側に向かうことを更に抑制することができる。
【００１５】
また本発明に係る洗面台では、前記洗面ボウルには空気排出経路が形成されており、前記空気排出経路は、前記手乾燥装置から吹き出した空気のうち少なくとも一部がその内部に流入した後、前記洗面ボウルの上部空間以外の空間に向けて排出されるように形成されていることも好ましい。
【００１６】
この好ましい態様では、洗面ボウルに空気排出経路が形成されている。当該空気排出経路は、手乾燥装置から吹き出した空気のうち少なくとも一部がその内部に流入した後、洗面ボウルの上部空間以外の空間に向けて排出されるように形成されている空気の流路である。
【００１７】
洗面ボウルにこのような空気排出経路を形成することによって、手乾燥装置から吹き出す空気量が多い場合であっても、当該空気は洗面ボウルの上部空間以外の空間に向けて排出される。その結果、洗面ボウルの内面に沿って流れて洗面ボウルの上端部に到達する空気の量が低減されるため、空気が洗面ボウルの上端部を越えて使用者側に向かうことを更に抑制することができる。
【００１８】
また本発明に係る洗面台では、前記洗面ボウルの底部に接続された排水配管と前記空気排出経路とを連通する通水路を備えており、前記手乾燥装置から吹き出した空気と共に前記空気排出経路に流入した水が、前記通水路を通って前記排水配管に流入するように構成されていることも好ましい。
【００１９】
空気排出経路には手乾燥装置から吹き出した空気が流入するが、その際、使用者の手や洗面ボウルの内面に付着していた水滴が、空気と共に空気排出経路に流入することがある。空気排出経路に流入した水は、空気排出経路の下流側端部から空気と共に噴き出てしまうこととなる。
【００２０】
この好ましい態様では、洗面ボウルの底部に接続された排水配管と空気排出経路とを連通する通水路を備えており、空気排出経路に流入した水が、通水路を通って排水配管に流入するように構成されている。その結果、空気排出経路に水が流入した場合であっても、当該水は通水路を通って排水配管に流入するため、空気排出経路の下流側端部から噴き出てしまうことが防止される。
【００２１】
また本発明に係る洗面台では、前記洗面ボウルには、その上端部を越えて水が溢れ出ることを防止するために前記排水配管に連通するオーバーフロー孔が形成されており、前記手乾燥装置から吹き出した空気が、前記オーバーフロー孔から前記空気排出経路に流入するように構成されていることも好ましい。
【００２２】
この好ましい態様では、手乾燥装置から吹き出した空気が、水が溢れ出ることを防止するために形成されたオーバーフロー孔から空気排出経路に流入するように構成されている。空気排出経路の入口として洗面ボウルに別途開口部を設けることなく、オーバーフロー孔を空気排出経路の入口として用いることができるため、洗面ボウルの使い勝手を損なうことなく空気排出経路を形成することができる。
【発明の効果】
【００２３】
本発明によれば、手乾燥装置から吹き出した空気が洗面ボウルの内面に沿って流れた後、使用者側に向かうことを防止することのできる洗面台を提供することができる。
【図面の簡単な説明】
【００２４】
【図１】本発明の第一実施形態である洗面台を示す斜視図である。
【図２】図１に示した洗面台に設置された手乾燥装置の全体構成を説明するための模式図である。
【図３】図１に示した洗面台の洗面ボウル及びその近傍における構造を示した断面図である。
【図４】本発明の第二実施形態である洗面台の洗面ボウル及びその近傍における構造を示した断面図である。
【図５】本発明の第三実施形態である洗面台の洗面ボウル及びその近傍における構造を示した断面図である。
【発明を実施するための形態】
【００２５】
以下、添付図面を参照しながら本発明の実施の形態について説明する。説明の理解を容易にするため、各図面において同一の構成要素に対しては可能な限り同一の符号を付して、重複する説明は省略する。
【００２６】
図１は、本発明の第一実施形態である洗面台を示す斜視図である。図１に示したように、洗面台Ｌは、表面が水平となるように形成されたカウンター部ＬＣを有しており、カウンター部ＬＣの中央部には楕円状の開口部ＬＣｈが形成されている。開口部ＬＣｈの下方には、洗面時に水を溜める容器である洗面ボウルＢＷが配置されている。洗面ボウルＢＷは、その内面が滑らかな曲面となるように窪んだ形状の陶器であって、開口部ＬＣｈの全体を下方から覆うように配置されている。
【００２７】
カウンター部ＬＣのうち、使用者側から見て開口部ＬＣｈの奥側には、水栓Ｆが立設している。水栓Ｆは、従来の洗面台に設置されるものと同様、吐水口ＦＨから洗面ボウルＢＷに向けて水を吐出するものである。このため、水栓Ｆは、吐水口ＦＨの吐水方向を洗面ボウルＢＷの内面に向けた状態で設置されている。
【００２８】
また、本実施形態においては、手乾燥装置１の本体部１０が、水栓Ｆと一体となって構成されている。すなわち、水栓Ｆの吐水口ＦＨは、吐出される水の出口であるだけではなく、使用者の手を乾燥させるための空気を吹き出す手乾燥装置１の吹出口１１でもある。このため、洗面ボウルＢＷは、水栓Ｆの吐水口ＦＨから吐出された水を受けるものである一方、手乾燥装置１の吹出口１１から吹き出した空気を受けるものでもある。水栓Ｆは、吐出する水を供給するための上水道に接続されている他、吹き出す空気の流れを発生させるための送風機ＡＰにも接続されている。
【００２９】
図２は、手乾燥装置１の全体構成を説明するための模式図である。図２に示したように、手乾燥装置１のうち洗面台Ｌのカウンター部ＬＣよりも下部には、送風機ＡＰが設置されている。送風機ＡＰは、手乾燥装置１の吹出口１１から吹き出す空気の流れを発生させるための装置である。送風機ＡＰは、吹出口１１から空気を吹き出す際において、図示しない制御装置からの送風開始信号を受けて内部のファンを動作させ、その上面に形成された空気供給部ＡＳから空気を本体部１０へと供給する。
【００３０】
カウンター部ＬＣよりも下部において、空気供給部ＡＳと手乾燥装置１の本体部１０（水栓Ｆ）の下端とは、可撓性のホースからなる送風管ＡＳＰで接続されている。本体部１０の内部には、その下端から長手方向に沿って形成された空気流路（図示略）が形成されている。このため、送風機ＡＰの空気供給部ＡＳから出た空気は、送風管ＡＳＰを通じて上記空気流路に供給される。手乾燥装置１は、空気流路に空気が供給されることにより、吹出口１１から使用者の手に向けて空気を吹き出すものである。
【００３１】
送風管ＡＳＰと本体部１０との接続部近傍には、水供給配管ＷＰが接続されている。水供給配管ＷＰは、図示しない電磁弁を介して上水道に接続されている配管である。本体部１０の内部には、吐水口ＦＨに向かって水が流れる流路である内部水路（図示略）が形成されている。また、本体部１０の内部において、内部水路の一端と水供給配管ＷＰとが接続されている。制御装置から開弁信号が送られることによって電磁弁が開かれると、上水道からの水が水供給配管ＷＰ、内部水路を通って流れた後、吐水口ＦＨ（吹出口１１）から使用者の手に向けて吐出される。
【００３２】
続いて、図３を参照しながら、手乾燥装置１の吹出口１１から吹き出した空気の流れについて説明する。図３は、洗面台Ｌの洗面ボウルＢＷ及びその近傍における構造を示した断面図である。図３においては、洗面ボウルＢＷ及びカウンター部ＬＣを、図１のＡ−Ａ位置において切断した状態を示している。尚、手乾燥装置１の本体部１０については、その断面ではなく外観を示している。使用者が洗面台を使用する際において通常立つ位置は、図３においてはカウンター部ＬＣの左側となる。従って、使用者の顔の位置は、カウンター部ＬＣの上方且つ左側となる。以下では、使用者の顔の位置に向かう方向（図３においてはカウンター部ＬＣの左上に向かう方向）を、「使用者方向」と称することがある。
【００３３】
図３に示したように、洗面ボウルＢＷはその内面が滑らかな曲面となるように窪んだ形状となっており、その最も低い底部には排水口４０が形成されている。排水口４０は、吐水口ＦＨから吐出し洗面ボウルＢＷに受け入れられた水を、下水道に排出するために形成された開口である。排水口４０の下方には、排水配管４１が接続されている。排水配管４１は図示しない排水トラップ部を有しており、かかる排水トラップ部の下方において下水道に繋がっている。
【００３４】
排水口４０には、可動蓋２０が上下に移動可能な状態で配置されている。可動蓋２０は、図示しないレバーを使用者が操作することにより上下に移動し、排水口４０の開閉を切り換えるものである。可動蓋２０がその可動範囲の下端位置にある場合は排水口４０が閉じられた状態となり、吐水口ＦＨから吐出した水を洗面ボウルＢＷに溜めることができる。可動蓋２０がその可動範囲の上端位置にある場合（図３の状態）は排水口４０が開かれた状態となり、吐水口ＦＨから吐出した水、もしくは洗面ボウルＢＷに溜まっていた水を、排水配管４１を通じて排出することができる。
【００３５】
カウンター部ＬＣに形成された開口部ＬＣｈは、洗面ボウルＢＷの上端部における縁全体の形状よりも一回り小さくなるように形成されている。このため、洗面ボウルＢＷの上端部においては、カウンター部ＬＣの一部が洗面ボウルＢＷの中央（洗面ボウルＢＷを上面から見た場合における中央）に向けて延出した壁面となっており、延出部Ｗ１を形成している。延出部Ｗ１は、開口部ＬＣｈの全周に渡って連続して形成されている。
【００３６】
手洗いが終了した後、使用者が手を乾燥させるために手乾燥装置１を使用すると、手乾燥装置１の吹出口１１から空気が吹き出し、洗面ボウルＢＷの内面に向かう空気流ＦＬが形成される。空気流ＦＬは、洗面ボウルＢＷの内面に当たった後、洗面ボウルＢＷの内面に沿って広がりながら流れることとなる。図３においては、このような流れを、左側（使用者側）に向かう空気流ＦＬ１と、右側（手乾燥装置１側）に向かう空気流ＦＬ２とに分けて示している。
【００３７】
洗面ボウルＢＷは、その内面が滑らかな曲面となるように窪んだ形状であるから、空気流ＦＬ１及び空気流ＦＬ２は、洗面ボウルＢＷの内面に沿って次第にその流れ方向を上方に変化させながら、洗面ボウルＢＷの上端部に向かって流れる。その結果、空気流ＦＬ１は、洗面ボウルＢＷの上端部近くにおいて、使用者方向に向かう流れとなっている。
【００３８】
しかし、洗面ボウルＢＷの上端部には延出部Ｗ１が形成されているため、空気流ＦＬ１及び空気流ＦＬ２はその流れ方向が強制的に変更され、いずれも洗面ボウルＢＷの中央に向かう流れとなる。図３に示したように、空気流ＦＬ１は、洗面ボウルＢＷの上端部において洗面ボウルＢＷの中央に向けて（図３では右側に向けて）流れ方向が変更されるため、洗面ボウルＢＷの上端部を越えて使用者方向に向かうことが抑制されている。
【００３９】
以上のように、本実施形態に係る洗面台Ｌにおいては、洗面ボウルＢＷの中央に向けて延出するように形成された延出部Ｗ１が風向規制手段として機能している。かかる風向規制手段により、吹出口１１から吹き出した空気が使用者側に向かうことによって使用者に不快感を抱かせたり、使用者に向けて水が飛び散ったりすることが抑制される。
【００４０】
続いて、本発明の第二実施形態である洗面台Ｌａについて、図４を参照しながら説明する。図４は、洗面台Ｌａの洗面ボウルＢＷ及びその近傍における構造を示した断面図であって、洗面台Ｌａを図３に対応した断面において描いた図である。図４に示したように、洗面台Ｌａは、カウンター部ＬＣのうち開口部ＬＣｈの近傍における形状のみが洗面台Ｌと異なっており、その他の形状に関しては洗面台Ｌと同じである。
【００４１】
洗面台Ｌと同様に、カウンター部ＬＣに形成された開口部ＬＣｈは、洗面ボウルＢＷの上端部における縁の形状よりも一回り小さくなるように形成されている。このため、洗面ボウルＢＷの上端部においては、カウンター部ＬＣの一部が洗面ボウルＢＷの中央に向けて延出した壁面となっており、延出部Ｗ１を形成している。延出部Ｗ１は、開口部ＬＣｈの全周に渡って連続して形成されている。
【００４２】
本実施形態においては更に、延出部Ｗ１のうち洗面ボウルＢＷの中央側における端部には、当該端部から鉛直下方に向けて垂下するように形成された垂下部Ｗ２を有している。垂下部Ｗ２は、延出部Ｗ１の全周に渡って連続して形成されている。
【００４３】
手洗いが終了した後、使用者が手を乾燥させるために手乾燥装置１を使用すると、手乾燥装置１の吹出口１１から空気が吹き出し、洗面ボウルＢＷの内面に向かう空気流ＦＬが形成される。空気流ＦＬは、洗面ボウルＢＷの内面に当たった後、洗面ボウルＢＷの内面に沿って広がりながら流れることとなる。図４においては、このような流れを、左側（使用者側）に向かう空気流ＦＬ１ａと、右側（手乾燥装置１側）に向かう空気流ＦＬ２ａとに分けて示している。
【００４４】
洗面ボウルＢＷは、その内面が滑らかな曲面となるように窪んだ形状であるから、空気流ＦＬ１ａ及び空気流ＦＬ２ａは、洗面ボウルＢＷの内面に沿って次第にその流れ方向を上方に変化させながら、洗面ボウルＢＷの上端部に向かって流れる。その結果、空気流ＦＬ１ａは、洗面ボウルＢＷの上端部近くにおいて、使用者方向に向かう流れとなっている。
【００４５】
しかし、洗面ボウルＢＷの上端部には延出部Ｗ１が形成されているため、空気流ＦＬ１ａ及び空気流ＦＬ２ａはその流れ方向が強制的に変更され、いずれも洗面ボウルＢＷの中央に向かう流れとなる。その直後、空気流ＦＬ１ａ及び空気流ＦＬ２ａは垂下部Ｗ２に当たって再びその流れ方向が強制的に変更され、いずれも洗面ボウルＢＷの中央かつ下方に向かう流れとなる。
【００４６】
図４に示したように、空気流ＦＬ１ａは、洗面ボウルＢＷの上端部において洗面ボウルＢＷの中央に向けて（図４では右側に向けて）流れ方向が変更されるだけでなく、洗面ボウルＢＷの上端部から下方に向かうように流れ方向が変更される。このため、洗面ボウルＢＷの上端部を越えてカウンター部ＬＣの上方（図４においては左上方向）に向かうこと、すなわち、使用者方向に向かうことが更に抑制されている。
【００４７】
続いて、本発明の第三実施形態である洗面台Ｌｂについて、図５を参照しながら説明する。図５は、洗面台Ｌｂの洗面ボウルＢＷｂ及びその近傍における構造を示した断面図であって、洗面台Ｌｂを図３に対応した断面において描いた図である。図５に示したように、洗面台Ｌｂは、カウンター部ＬＣのうち本体部１０の近傍における形状、及び、洗面ボウルＢＷｂのうち本体部１０の近傍における形状が洗面台Ｌと異なっており、その他の形状に関しては洗面台Ｌと同じである。
【００４８】
洗面台Ｌと同様に、カウンター部ＬＣに形成された開口部ＬＣｈは、洗面ボウルＢＷｂの上端部における縁の形状よりも一回り小さくなるように形成されている。このため、洗面ボウルＢＷｂの上端部においては、カウンター部ＬＣの一部が洗面ボウルＢＷｂの中央に向けて延出した壁面となっており、延出部Ｗ１を形成している。延出部Ｗ１は、開口部ＬＣｈの全周に渡って連続して形成されている。本実施形態においては、延出部Ｗ１のうち本体部１０の近傍における部分（延出部Ｗ１ｂ）の延出量が、他の部分の延出量よりも大きくなるように形成されている。
【００４９】
洗面ボウルＢＷｂは、上端部近傍における内周面のうち使用者から見て奥側、すなわち、延出部Ｗ１ｂが形成されている側（図５においては右側）において、オーバーフロー孔ＯＦが形成されている。オーバーフロー孔ＯＦは、可動蓋２０が排水口４０を閉止した状態において、洗面ボウルＢＷｂに溜まった水が洗面ボウルＢＷｂの上端部から溢れ出ることを防止するために設けられている。
【００５０】
洗面ボウルＢＷｂは、使用者から見て奥側の部分が２重構造となっており、オーバーフロー孔ＯＦと排水配管４１とを内部で連通する通水路Ｄ１を有している。このため、洗面ボウルＢＷｂの内面側からオーバーフロー孔ＯＦに流入した水は、通水路Ｄ１を通って排水配管４１に流入し排出される。通水路Ｄ１のうちオーバーフロー孔ＯＦよりも下方の位置には、洗面ボウルの裏面側（洗面台Ｌｂが設置される壁側）に向けた開口である排気口ＥＨが形成されている。
【００５１】
手洗いが終了した後、使用者が手を乾燥させるために手乾燥装置１を使用すると、手乾燥装置１の吹出口１１から空気が吹き出し、洗面ボウルＢＷｂの内面に向かう空気流ＦＬが形成される。空気流ＦＬは、洗面ボウルＢＷｂの内面に当たった後、洗面ボウルＢＷｂの内面に沿って広がりながら流れることとなる。図５においては、このような流れを、左側（使用者側）に向かう空気流ＦＬ１ｂと、右側（手乾燥装置１側）に向かう空気流ＦＬ２ｂとに分けて示している。
【００５２】
洗面ボウルＢＷｂは、その内面が滑らかな曲面となるように窪んだ形状であるから、空気流ＦＬ１ｂ及び空気流ＦＬ２ｂは、洗面ボウルＢＷｂの内面に沿って次第にその流れ方向を上方に変化させながら、洗面ボウルＢＷｂの上端部に向かって流れる。その結果、空気流ＦＬ１ｂは、洗面ボウルＢＷｂの上端部近くにおいて、使用者方向に向かう流れとなっている。
【００５３】
しかし、洗面ボウルＢＷｂの上端部には延出部Ｗ１が形成されているため、空気流ＦＬ１ｂはその流れ方向が強制的に変更され、洗面ボウルＢＷｂの中央に向かう流れとなる。このため、洗面台Ｌと同様に、空気流ＦＬ１ｂが洗面ボウルＢＷｂの上端部を越えて使用者方向に向かうことが抑制されている。
【００５４】
一方、空気流ＦＬ２ｂは、洗面ボウルＢＷｂの上端部に到達した後、大きく延出した延出部Ｗ１ｂに案内されて、その大部分がオーバーフロー孔ＯＦを通って通水路Ｄ１に流入する。また、可動蓋２０が上端に移動して排水口４０が開いた状態においては、吹出口１１から吹き出した空気の一部は、排水口４０を通って通水路Ｄ１に流入する。
【００５５】
排水配管４１は、途中に図示しない排水トラップ部を有しているため、通水路Ｄ１に流入した空気は排水配管４１に流入することができず、全て排気口ＥＨから外部に排出されることとなる。排気口ＥＨから排出される空気の流れは、洗面台の裏側の空間に向かうものであり、洗面ボウルＢＷｂの上部空間に向かうことが無い。オーバーフロー孔ＯＦから通水路Ｄ１を通り排気口ＥＨに至る流路は、本発明における空気排出流路を構成している。
【００５６】
洗面ボウルＢＷｂにこのような空気排出経路を形成することによって、吹出口１１から吹き出す空気量が多い場合であっても、当該空気は洗面ボウルＢＷｂの裏側の空間に向けて排出される。その結果、洗面ボウルＢＷｂの内面に沿って洗面ボウルＢＷｂの上端部に到達する空気の量が低減されるため、空気が洗面ボウルＢＷｂの上端部を越えて使用者側に向かうことを更に抑制している。
【００５７】
ここで、空気を排出する方向としては、本実施形態のように洗面ボウルＢＷｂの裏側の空間に向けることに限られるものではなく、洗面ボウルＢＷｂの上部空間以外の空間に向けて排出すればよい。洗面ボウルＢＷｂの上部空間とは、洗面ボウルＢＷｂの上端部よりも上方における空間であって、洗面ボウルＢＷｂの直上及び使用者が立つ位置を含む空間である。上記空気排出流路により、洗面ボウルＢＷｂの上部空間以外の空間に向けて空気が排出されるため、排気口ＥＨから排出される空気が使用者に向かうことがない。
【００５８】
オーバーフロー孔ＯＦには、洗面ボウルＢＷｂの内面側から通水路Ｄ１に向かって流入する空気の流れに伴い、使用者の手や洗面ボウルＢＷｂの内面に付着していた水滴が流入することがある。かかる水滴は、オーバーフロー孔ＯＦに流入した後下方に向かう。その際、水滴は通水路Ｄ１から排気口ＥＨに向かう空気の流れの影響を受けるが、慣性によってそのまま下方に向かう。すなわち、水滴は排気口ＥＨから噴き出ることなく、排水配管４１に流入する。
【００５９】
また、オーバーフロー孔ＯＦの奥側には、カウンター部ＬＣから下方に向けて垂下するように形成された水返し壁Ｗ３が形成されている。水返し壁Ｗ３は、オーバーフロー孔ＯＦから排気口ＥＨに向かって水滴及び空気が直線的に通過する経路を遮断するように形成されている。このため、オーバーフロー孔ＯＦから排気口ＥＨに向かう経路は、水返し壁Ｗ３の下端部に至った後、方向を反転させて上方に向かう経路となる。従って、かかる経路を水滴が通過して排気口ＥＨから噴き出してしまうことが確実に防止される。
【００６０】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６１】
１：手乾燥装置
１０：本体部
１１：吹出口
２０：可動蓋
４０：排水口
４１：排水配管
ＡＰ：送風機
ＡＳ：空気供給部
ＡＳＰ：送風管
Ｄ１：通水路
ＥＨ：排気口
Ｆ：水栓
ＦＨ：吐水口
Ｌ，Ｌａ，Ｌｂ：洗面台
ＬＣ：カウンター部
ＬＣｈ：開口部
ＢＷ：洗面ボウル
ＢＷｂ：洗面ボウル
ＯＦ：オーバーフロー孔
Ｗ１，Ｗ１ｂ：延出部
Ｗ２：垂下部
Ｗ３：水返し壁
ＷＰ：水供給配管
【図１】
2013153921.tif 000003
【図２】
2013153921.tif 000004
【図３】
2013153921.tif 000005
【図４】
2013153921.tif 000006
【図５】
2013153921.tif 000007